【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
透過性を有するフロントディスプレイと、
所定の方向において前記フロントディスプレイの奥側に配置された、透過性を有するバックディスプレイと、
ユーザの入力操作情報を受信する入力部と、
前記入力操作情報に基づいて、所定の情報を有する第１の画像を前記バックディスプレイから消すとともに、前記所定の情報を有するとともに前記第１の画像とは異なる第２の画像を前記フロントディスプレイに表示させる表示制御部を備える、情報処理装置。
【請求項２】
前記表示制御部は、前記バックディスプレイに前記第１の画像を表示し、次いで、前記第２の画像を前記フロントディスプレイに表示し、次いで、前記第１の画像の視認性を落とすことで、前記第１の画像を消すとともに前記第２の画像を表示させる、請求項１記載の情報処理装置。
【請求項３】
前記表示制御部は、前記第１の画像の輝度を落とすことで、前記バックディスプレイに表示された前記第１の画像の視認性を落とす、請求項２記載の情報処理装置。
【請求項４】
前記表示制御部は、前記第１の画像の大きさを変動させ、次いで、前記第２の画像を前記フロントディスプレイにも表示し、次いで、前記第１の画像の大きさと前記第２の画像の大きさとを同じ態様で変動させる、請求項２記載の情報処理装置。
【請求項５】
前記表示制御部は、ユーザにとって優先度の高い第１情報を有する画像を前記フロントディスプレイに表示し、前記第１情報よりも優先度の低い第２情報を前記バックディスプレイに表示する、請求項１〜４のいずれか１項に記載の情報処理装置。
【請求項６】
前記表示制御部は、車両の走行に関する車両走行情報と、地図情報とを前記フロントディスプレイまたは前記バックディスプレイに表示する、請求項１〜５のいずれか１項に記載の情報処理装置。
【請求項７】
前記表示制御部は、車両の走行に関する車両走行情報を前記バックディスプレイに表示し、運転者のバイタル情報を前記フロントディスプレイに表示する、請求項１〜５のいずれか１項に記載の情報処理装置。
【請求項８】
前記バイタル情報は、年齢、体温、脈拍、血圧、基礎代謝、体重、ＢＭＩ、体脂肪率、内臓脂肪レベル、眠気の度合い、疲労度のうち少なくとも１つを含む、請求項７に記載の情報処理装置。
【請求項９】
前記車両走行情報は、車速情報、タコメータ情報、燃料残量情報、水温計情報、距離計情報のうち少なくとも１つを含む、請求項６〜８のいずれか１項に記載の情報処理装置。
【請求項１０】
前記表示制御部は、メッセージの受信が可能な通信部から前記メッセージを受領し、前記メッセージを前記バックディスプレイおよび前記フロントディスプレイの一方に表示し、前記メッセージを送信したユーザに関する情報を前記バックディスプレイおよび前記フロントディスプレイの他方に表示する、請求項１〜９のいずれか１項に記載の情報処理装置。
【請求項１１】
前記表示制御部は、他のユーザを示すアイコンを、前記バックディスプレイおよび前記フロントディスプレイの一方のうち、前記他のユーザの現在位置に応じた表示位置に表示し、前記バックディスプレイおよび前記フロントディスプレイの他方に、前記バックディスプレイおよび前記フロントディスプレイの他方の外縁から前記バックディスプレイおよび前記フロントディスプレイの他方内に設定された基準点に伸びるライン画像を表示する、請求項１〜１０のいずれか１項に記載の情報処理装置。
【請求項１２】
前記表示制御部は、前記第１の画像および前記第２の画像の大きさを、ユーザの視点から前記バックディスプレイおよび前記フロントディスプレイまでの距離に基づいて決定する、請求項１〜１１のいずれか１項に記載の情報処理装置。
【請求項１３】
前記入力部は、前記フロントディスプレイの前面に設けられたタッチパネルである、請求項１〜１２のいずれか１項に記載の情報処理装置。
【請求項１４】
前記第１の画像の色は前記第２の画像の色とは異なる、請求項１〜１３のいずれか１項に記載の情報処理装置。
【請求項１５】
プロセッサが、ユーザの入力操作情報に基づいて、所定の情報を有する第１の画像をバックディスプレイから消すとともに、前記所定の情報を有するとともに前記第１の画像とは異なる第２の画像をフロントディスプレイに表示させ、
前記フロントディスプレイは、透過性を有し、
前記バックディスプレイは、所定の方向において前記フロントディスプレイの奥側に配置され、透過性を有する、情報処理方法。
【請求項１６】
コンピュータに、
ユーザの入力操作情報に基づいて、所定の情報を有する第１の画像をバックディスプレイから消すとともに、前記所定の情報を有するとともに前記第１の画像とは異なる第２の画像をフロントディスプレイに表示させる表示制御機能を実現させ、
前記フロントディスプレイは、透過性を有し、
前記バックディスプレイは、所定の方向において前記フロントディスプレイの奥側に配置され、透過性を有する、プログラム。
【手続補正２】
【補正対象書類名】明細書
【補正対象項目名】００２８
【補正方法】変更
【補正の内容】
【００２８】
ステップＳ２０において、表示制御部１０４は、各表示レイヤに表示された表示対象情報の優先度をタッチパネル１００の入力操作及びユーザの動作等に基づいて調整する。そして、表示制御部１０４は、優先度の大小関係に変動があったか否か、具体的には、手前側表示レイヤに表示された表示対象情報の優先度が奥側表示レイヤに表示された表示対象情報の優先度よりも小さくなったか否かを判定する。表示制御部１０４は、優先度の大小関係に変動があったと判定した場合には、ステップＳ３０に進み、表示制御部１０４は、優先度の大小関係に変動がないと判定した場合には、本処理を終了する。
【手続補正３】
【補正対象書類名】明細書
【補正対象項目名】００４１
【補正方法】変更
【補正の内容】
【００４１】
この例では、表示制御部１０４は、奥側表示レイヤ及び手前側表示レイヤの中心部に基準点２１０、２２０を設定する。そして、表示制御部１０４は、ライン画像２１５を奥側表示レイヤの外縁から基準点２１０に向けて移動させ、基準点２１０で消滅させる。さらに、表示制御部１０４は、泡画像２２５を手前側表示レイヤの外縁から基準点２２０に向けて移動させる。したがって、ユーザは、あたかも泡画像２２５が３次元空間内を奥側に向けて移動しているように直感することができる。なお、表示制御部１０４は、泡画像２２５を奥側表示レイヤに、ライン画像２１５を手前側表示レイヤにそれぞれ表示してもよい。
【手続補正４】
【補正対象書類名】明細書
【補正対象項目名】００５２
【補正方法】変更
【補正の内容】
【００５２】
この例では、表示制御部１０４は、奥側表示レイヤに車両走行情報を表示し、手前側表示レイヤにユーザのバイタル情報を表示している。具体的には、表示制御部１０４は、車両本体を模式的に示す車両本体画像２７０、エンジンを模式的に示すエンジン画像２８０、前後タイヤを模式的に示す画像２９０を表示する。さらに、表示制御部１０４は、車両の加速度、最大トルク／エンジン回転数、燃料の残量、各タイヤに掛かる荷重等を表示する。もちろん、表示制御部１０４は、これら以外の情報を車両走行情報として表示してもよい。
【手続補正５】
【補正対象書類名】明細書
【補正対象項目名】０１１０
【補正方法】変更
【補正の内容】
【０１１０】
なお、以下のような構成も本開示の技術的範囲に属する。
（１）
互いに重なり合う複数の表示レイヤの各々に表示する情報を、当該情報に関連付けられたパラメータに基づいて決定する表示制御部を備える、情報処理装置。
（２）
前記表示制御部は、前記パラメータの大小関係にもとづいて、前記複数の表示レイヤの各々に表示する情報を決定する、前記（１）記載の情報処理装置。
（３）
前記表示制御部は、前記パラメータと、前記パラメータに対応するしきい値とに基づいて、前記複数の表示レイヤの各々に表示する情報を決定する、前記（１）または（２）記載の情報処理装置。
（４）
前記表示制御部は、いずれか一の表示レイヤに表示された情報を他の表示レイヤに移動させることが可能である、前記（１）〜（３）のいずれか１項に記載の情報処理装置。
（５）
前記表示制御部は、前記一の表示レイヤに情報を表示し、次いで、前記一の表示レイヤに表示された情報を前記他の表示レイヤにも表示し、次いで、前記一の表示レイヤに表示された情報の視認性を落とす、前記（４）記載の情報処理装置。
（６）
前記表示制御部は、前記一の表示レイヤに表示された情報の輝度を落とすことで、前記一の表示レイヤに表示された情報の視認性を落とす、前記（５）記載の情報処理装置。
（７）
前記表示制御部は、前記一の表示レイヤに表示された情報の大きさを変動させ、次いで、前記一の表示レイヤに表示された情報を前記他の表示レイヤにも表示し、次いで、前記一の表示レイヤに表示された情報の大きさと前記他の表示レイヤに表示された情報の大きさとを同じ態様で変動させる、前記（５）記載の情報処理装置。
（８）
前記表示制御部は、ユーザの動作に基づいて前記パラメータを調整する、前記（１）〜（７）のいずれか１項に記載の情報処理装置。
（９）
前記表示制御部は、ユーザにとって必要であると予測される情報をいずれか一の表示レイヤに表示し、他の情報を前記一の表示レイヤよりもユーザの視点から遠い位置に配置される他の表示レイヤに表示する、前記（１）〜（８）のいずれか１項に記載の情報処理装置。
（１０）
前記表示制御部は、車両の走行に関する車両走行情報と、地図情報とをそれぞれ別の表示レイヤに表示する、前記（１）〜（９）のいずれか１項に記載の情報処理装置。
（１１）
前記表示制御部は、車両の走行に関する車両走行情報と、運転者のバイタル情報とをそれぞれ別の表示レイヤに表示する、前記（１）〜（１０）のいずれか１項に記載の情報処理装置。
（１２）
前記表示制御部は、車両の周辺の各方向を撮影することで得られる撮像画像のうち、ユーザの要求に応じた撮像画像をいずれか一の表示レイヤに表示し、他の撮像画像を他の表示レイヤに表示する、前記（１）〜（１１）のいずれか１項に記載の情報処理装置。
（１３）
前記表示制御部は、車両の周辺の各方向を撮影することで得られる撮像画像を一の表示レイヤに表示し、前記撮像画像のうち、ユーザが視認すべきオブジェクトを示す指示画像を他の表示レイヤに表示する、前記（１）〜（１２）のいずれか１項に記載の情報処理装置。
（１４）
前記表示制御部は、車両の周辺の各方向を撮影することで得られる撮像画像を一の表示レイヤに表示し、前記撮像画像中のオブジェクトに関連するオブジェクト関連情報を他の表示レイヤに表示する、前記（１）〜（１３）のいずれか１項に記載の情報処理装置。
（１５）
前記表示制御部は、車両が到達すると予測される位置で撮像された撮像画像のうち、ユーザの要求に応じた撮像画像をいずれか一の表示レイヤに表示し、他の撮像画像を他の表示レイヤに表示する、前記（１）〜（１４）のいずれか１項に記載の情報処理装置。
（１６）
前記表示制御部は、メッセージの受信が可能な通信部から前記メッセージを受領し、前記メッセージをいずれか一の表示レイヤに表示し、前記メッセージを送信したユーザに関する情報を他の表示レイヤに表示する、前記（１）〜（１５）のいずれか１項に記載の情報処理装置。
（１７）
前記表示制御部は、他のユーザを示すアイコンを、いずれか一の表示レイヤのうち、前記他のユーザの現在位置に応じた表示位置に表示し、他の表示レイヤに、前記他の表示レイヤの外縁から前記他の表示レイヤ内に設定された基準点に伸びるライン画像を表示する、前記（１）〜（１６）のいずれか１項に記載の情報処理装置。
（１８）
前記表示制御部は、各表示レイヤに表示する情報の大きさを、ユーザの視点から各表示レイヤまでの距離に基づいて決定する、前記（１）〜（１７）のいずれか１項に記載の情報処理装置。
（１９）
互いに重なり合う複数の表示レイヤの各々に表示する情報を、当該情報に関連付けられたパラメータに基づいて決定することを含む、情報処理方法。
（２０）
コンピュータに、
互いに重なり合う複数の表示レイヤの各々に表示する情報を、当該情報に関連付けられたパラメータに基づいて決定する表示制御機能を実現させる、プログラム。
【手続補正６】
【補正対象書類名】図面
【補正対象項目名】図１５
【補正方法】変更
【補正の内容】
【図１５】
2014232484.tif 000001